(57)【要約】【課題】クランプ爪部を作業者から向かって奥側に配置する場合に簡単且つ安全に取扱うことが可能なクランプ用治具を提供すること。【解決手段】バネ性の帯状部材について両端を交叉させた状態で環状部を形成し、両端を径方向の外側に向け折曲起立させて一対の爪部を形成したクランプを取扱うクランプ用治具であって、上記クランプの一対の爪部を相互に引き寄せるように掴持する掴持部と、該掴持部に連設され、上記クランプの環状部を保持する保持部とを有すとともに、上記掴持部は、先端部に形成されているクランプ用治具。上記掴持部における上記クランプの爪部が接する部分が平坦となっているクランプ用治具。上記保持部における、上記掴持部と対向する位置が、略平坦であるクランプ用治具。【選択図】      図１
2010046783.tif 000002
【特許請求の範囲】
【請求項１】
バネ性の帯状部材について両端を交叉させた状態で環状部を形成し、両端を径方向の外側に向け折曲起立させて一対の爪部を形成したクランプを取扱うクランプ用治具であって、上記クランプの一対の爪部を相互に引き寄せるように掴持する掴持部と、該掴持部に連設され、上記クランプの環状部を保持する保持部とを有すとともに、上記掴持部は、先端部に形成されていることを特徴とするクランプ用治具。
【請求項２】
上記保持部における、掴持部を閉じた状態の径Ｄが、下式に示す範囲であることを特徴とする請求項１記載のクランプ用治具。
ｄ１＋２ｔ≦Ｄ≦（ｄ２２＋ｗ２）0.5
Ｄ：掴持部を閉じた状態における保持部の径
ｄ１：ホースの外径
ｔ：クランプの厚さ
ｄ２：クランプ環状部の最大外径
ｗ：クランプの幅
【請求項３】
上記掴持部における上記クランプの爪部が接する部分が平坦となっていることを特徴とする請求項１又は請求項２記載のクランプ用治具。
【請求項４】
上記保持部における、上記掴持部と対向する位置が、略平坦であることを特徴とする請求項１〜請求項３記載のクランプ用治具。
【発明の詳細な説明】
【技術分野】
【０００１】
本発明は、ホース等を固定するために使用されるクランプを着脱するための治具に関するもので、特に、クランプ爪部を作業者から向かって奥側に配置する場合に簡単且つ安全に取扱うことが可能なものに関する。
【背景技術】
【０００２】
従来より、ホースを継手に接続する際、このホースが継手から抜けないように、クランプによる固定がなされている。このクランプとしては、一般に、図４に示すような、バネ性の帯状部材について両端を交叉させた状態で環状部１３を形成し、両端を径方向の外側に向け折曲起立させて一対の爪部１２を形成したものが知られている。これは、クランプ爪部１２を相互に引き寄せるように掴持することで、クランプ環状部１２が拡径するとともに縮径する方向に付勢されるもので、この状態でクランプ１１をホース２１に嵌め込んで掴持を解除すれば、ホース２１を緊縮することになる。
【０００３】
このようなクランプを着脱する際に使用する治具としては、例えば図６に示すように、プライヤー１０１の先端でクランプ爪部１２を掴持するものがある（例えば、特許文献１参照）。しかしながら、このような形態のものであると、作業中にクランプ環状部１３が周囲のものに触れた際に、クランプ爪部１２がずれて、容易にクランプ１１が外れてしまうことになる。この場合、クランプ１１は付勢された状態にあるため、クランプ１１は大きく飛ぶことになり、クランプ１１の紛失のみならず、作業者が負傷したり、周辺機器に傷をつけたりすることになってしまう。また、昨今ではクランプ爪部１２が目立たないように、あるいは、クランプ爪部１２によって他の機器等に傷が付かないように、クランプ爪部１２を作業者から向かって奥側に配置するよう要求がなされている。このような要求に対し、上記の治具では、クランプ爪部１２を奥側に配置させることは非常に困難であった。
【０００４】
これらのような問題に対し、図７に示すような、クランプ爪部１２を係合する挟持部２０２を形成するとともに、クランプ環状部１３を覆う案内部２０３を形成し、この案内部２０３でクランプ１１の飛び出しを防止するプライヤー状工具２０１が知られている（特許文献２参照）。
【０００５】
また、図８に示すように、ホース２１を跨いで挟む構成の作動部３０３を有し、先端に位置する挟支杆３０２によりクランプ爪部１２を掴持する構成の工具３０１が知られている（特許文献３参照）。
【０００６】
【特許文献１】特開平６−７１５７０号公報：スリーピークス技研
【特許文献２】実開昭５９−３４９６４号公報：日野自動車工業
【特許文献３】特開平６−１４３１５６号公報：室本鉄工、前田機工
【発明の開示】
【発明が解決しようとする課題】
【０００７】
しかしながら、上記特許文献２によるプライヤー状工具２０１であると、その形状からどうしてもクランプ爪部１２が作業者側を向いてしまうため、クランプ爪部１２を奥側に配置することが非常に困難である。
【０００８】
また、上記特許文献３による工具３０１については、クランプ爪部１２を掴持するのみであるため、作業中にクランプ環状部１３が周囲のものに触れた際に、クランプ爪部１２がずれて、容易にクランプ１１が外れてしまうという問題を克服できていない。
【０００９】
本発明はこのような点に基づいてなされたもので、その目的とするところは、クランプ爪部を作業者から向かって奥側に配置する場合に簡単且つ安全に取扱うことが可能なクランプ用治具を提供することにある。
【課題を解決するための手段】
【００１０】
前記目的を達成するべく、本発明の請求項１によるクランプ用治具は、バネ性の帯状部材について両端を交叉させた状態で環状部を形成し、両端を径方向の外側に向け折曲起立させて一対の爪部を形成したクランプを取扱うクランプ用治具であって、上記クランプの一対の爪部を相互に引き寄せるように掴持する掴持部と、該掴持部に連設され、上記クランプの環状部を保持する保持部とを有すとともに、上記掴持部は、先端部に形成されていることを特徴とするものである。
又、請求項２記載のクランプ用治具は、上記保持部における、掴持部を閉じた状態の径Ｄが、下式に示す範囲であることを特徴とするものである。
ｄ１＋２ｔ≦Ｄ≦（ｄ２２＋ｗ２）0.5
Ｄ：掴持部を閉じた状態における保持部の径
ｄ１：ホースの外径
ｔ：クランプの厚さ
ｄ２：クランプ環状部の最大外径
ｗ：クランプの幅
又、請求項３記載のクランプ用治具は、上記掴持部における上記クランプの爪部が接する部分が平坦となっていることを特徴とするものである。
又、請求項４記載のクランプ用治具は、上記保持部における、上記掴持部と対向する位置が、略平坦であることを特徴とするものである。
【発明の効果】
【００１１】
請求項１によるクランプ用治具によれば、掴持部に連設された保持部によりクランプ環状部が保持されるため、クランプ環状部が周辺のものに触れることはない。また、爪部を斜めに掴持してしまったり、力の掛かり方が不均一だったりした場合でも、クランプ環状部が保持されるため、クランプがずれてしまうことはない。従って、クランプが不用意に治具から外れてしまうようなことはなく、安全にクランプを取扱うことができる。また、先端に掴持部が形成されていることから、クランプ爪部は作業者から最も離れた位置となるため、クランプ爪部を作業者から向かって奥側に配置することが容易となる。
また、請求項２のように、保持部の径が所定の範囲とされていれば、クランプの着脱に支障を与えることはなく、且つ、クランプ用治具からクランプが外れてしまうことを確実に防止することができる。
また、クランプ爪部を掴持する際、クランプ爪部の先端は、掴持部をスライドしていくことになる。この際、請求項３のように、掴持部におけるクランプ爪部が接する部分が平坦となっていれば、このクランプ爪部のスライドがスムーズとなり、作業性が向上することともに、無理な力を掛けることによるクランプの変形を防止することができる。
また、上記特許文献２の場合、構造上、クランプ爪部を掴持する際に、クランプの位置を注意深く定めないと、クランプ環状部までも掴持してしまい、クランプ環状部を変形させてしまう可能性がある。本発明においては、請求項４に示すような、保持部における掴持部と対向する位置が、略平坦となるような構造も容易に設計できる。このような構造であれば、クランプ環状部を掴持するようなことを防止することができる。
【発明を実施するための最良の形態】
【００１２】
以下に、本発明を、その実施の形態を示す図面を参照しながら説明する。図１及び図２は本発明によるクランプ用治具を示す平面図であり、図１はクランプ爪部を掴持する前の状態（クランプが縮径した状態）、図２はクランプ爪部を掴持した状態（クランプが拡径した状態）を示す。また、図４には、本実施の形態で使用されるクランプの斜視図を示す。
【００１３】
本実施の形態によるクランプ用治具１は、所謂プライヤー状のものであり、ハンドル５を把持することで、先端の掴持部２が閉じる構成となっている。この掴持部２は、その全面が平坦となっている。また、この掴持部２には、保持部３が連設されている。この保持部３における掴持部２と対向する位置は、若干の段差はあるものの略平坦となっており、この段差によってクランプの環状部を掴持してしまうことはない。
【００１４】
このようなクランプ用治具１に、クランプ爪部１２が掴持部２に、クランプ環状部１３が保持部３に位置するよう、クランプ１１を嵌装する。この状態で、クランプ用治具１のハンドル５を把持することで、クランプ爪部１２が掴持され、クランプ１１は拡径することになる。そして、クランプ環状部１３の内側に所望とするホース２１等を挿通し、クランプ爪部１２の掴持を解除すれば、クランプ１１は縮径し、ホース２１が固定されることになる。
【００１５】
掴持部２は、上記のように、クランプ爪部１２が接する部分が平坦であることが好ましい。これは、掴持の際に、クランプ爪部１２の先端が掴持部２をスライドするためである。このスライドは、クランプ１１の径が変化すること、それに伴い、クランプ爪部１２の角度が変わることによって起こるものである。掴持部２に溝等が形成されていると、これにクランプ爪部１２の先端が引っかかってしまうため、スライドが阻害されてしまうこととなる。その場合は、クランプ１１に無理な力が掛かり、クランプ１１が変形してしまうこともある。但し、掴持部２のクランプ爪部１２が接しない部分、例えば、掴持部２を十分な長さとしてその先端部に溝や凹凸等を設けることは一向に差し支えない。
【００１６】
保持部３の寸法について、掴持部２を閉じた状態の径Ｄが、下式に示す範囲であることが好ましい。
ｄ１＋２ｔ≦Ｄ≦（ｄ２２＋ｗ２）0.5
Ｄ：掴持部を閉じた状態における保持部の径
ｄ１：ホースの外径
ｔ：クランプの厚さ
ｄ２：クランプ環状部の最大径
ｗ：クランプの幅
このような範囲であれば、クランプの着脱に支障を与えることはなく、且つ、クランプ用治具からクランプが外れてしまうことを確実に防止することができる。このことについて図３を使用してより詳細に説明する。図３（Ａ）は、図２を９０°回転した状態を示す図である。クランプ１１が外れる形態としては、クランプ爪部１２と掴持部２の接触部を支点としてクランプ１１が回転をし、それによって、クランプ爪部１２を掴持する力に不均一を生じ、クランプ１１が外れてしまうという形態がある。上記のように、クランプの最大径をｄ２、クランプの幅をｗとしたとき、掴持部２を閉じた状態における保持部３の径Ｄが、（ｄ２２＋ｗ２）0.5以下であれば、図３（ｂ）に示すように、クランプ環状部１３が保持部３に接することで、クランプ１１の回転を止められるため、クランプ１１が外れてしまう可能性は格段に低くなる。尚、図３（ａ）及び図３（ｂ）において、鎖線は、透視した線を表す。また、ホースの外径をｄ１、クランプの厚さをｔとしたとき、掴持部２を閉じた状態における保持部３の径Ｄが、（ｄ１＋２ｔ）よりも小さいと、クランプを所望とする径にまで拡径することができなくなってしまう。
【００１７】
また、全体構成として、上記のようなプライヤー状のものに限定されるものではない。例えば、図５に示すように、所謂ピンセットのようにして先端を開閉するような構成のものであっても良い。また、ハンドル５を把持することで掴持部２が閉じる構成のみでなく、常時には掴持部２が閉じており、ハンドル５を把持することにより掴持部２が開くような構成としても良い。勿論、人力によって掴持部２を開閉するようなもののみでなく、例えば、圧縮空気やモーターなどにより掴持部２を開閉するような機構を組み入れても良い。
【産業上の利用可能性】
【００１８】
以上詳述したように本発明によれば、特に、クランプ爪部を作業者から向かって奥側に配置する場合に簡単且つ安全に取扱うことが可能なクランプ用治具を提供することができる。このようなクランプ用治具は、ホースへのクランプの着脱や、クランプの位置合わせ等に好適に使用することができる。また、クランプと同様の構成を有する他の部材にも応用することが十分可能である。
【図面の簡単な説明】
【００１９】
【図１】本発明によるクランプ用治具の構造を示す平面図である（クランプ爪部を掴持する前の状態）。
【図２】本発明によるクランプ用治具の構造を示す平面図である（クランプ爪部を掴持した状態）。
【図３】本発明によるクランプ用治具の構造を示す一部透視平面図である。
【図４】クランプの構成を示す斜視図である。
【図５】本発明によるクランプ用治具の他の形態を示す平面図である。
【図６】従来技術を示す図である。
【図７】従来技術を示す図である。
【図８】従来技術を示す図である。
【符号の説明】
【００２０】
１  クランプ用治具
２  掴持部
３  保持部
５  ハンドル
１１  クランプ
１２  クランプ爪部
１３  クランプ環状部
２１  ホース
【図１】
2010046783.tif 000003
【図２】
2010046783.tif 000004
【図３】
2010046783.tif 000005
【図４】
2010046783.tif 000006
【図５】
2010046783.tif 000007
【図６】
2010046783.tif 000008
【図７】
2010046783.tif 000009
【図８】
2010046783.tif 000010